(57)【特許請求の範囲】
【請求項１】
ガスを利用して車室内で車体側壁に沿って膨張展開するカーテンエアバッグ装置において、
車両側方の窓を覆うように膨張展開する袋状のクッションと、
前記クッションの上端部からガスを供給するインフレータとを備え、
前記クッションは、
前記クッション内部の上部に車両前後方向にわたって形成され前記インフレータからのガスを受けて膨張展開するダクトと、
前記インフレータよりも車両前方側で前記ダクトから下方に分岐し、該ダクトからガスが流入して膨張するメインチャンバとを含み、
前記ダクトは、該ダクトが前記メインチャンバに分岐した箇所よりも車両前方側に位置するダクト前端部を有し、
収納形態の前記クッションは、前記メインチャンバと少なくとも一部が重なる位置で巻き付けられる帯状の包囲部材であり、前記クッションに巻き付けられた状態で余り部を有し、膨張展開時の前記ダクトの車幅方向断面の外周長さ以上の長さを有する包囲部材をさらに備え、
前記メインチャンバは、膨張展開の初期において、前記包囲部材によって包囲されることで膨張展開が抑制され、前記ガスが前記ダクト前端部に優先的に流れ込み、
前記包囲部材は、前記クッションの膨張展開の初期の後に前記ダクトを通って前記メインチャンバに流入するガスのガス圧により切断可能な脆弱部を有することを特徴とするカーテンエアバッグ装置。
【請求項２】
前記ダクト前端部は、車両のフロントピラーの車体側壁と該フロントピラーを覆うように車内側に取り付けられるピラーガーニッシュとの間に収納されることを特徴とする請求項１に記載のカーテンエアバッグ装置。
【請求項３】
前記メインチャンバは、前記ダクト前端部に遅れて膨張展開することを特徴とする請求項２に記載のカーテンエアバッグ装置。
【請求項４】
前記包囲部材は、布材で形成されていて、
前記脆弱部は、前記収納形態の前記クッションの長手方向に沿って設けられた複数のスリットであることを特徴とする請求項１から３のいずれか１項に記載のカーテンエアバッグ装置。
【請求項５】
前記クッションはさらに、前記収納形態の前記クッションを包囲する前記包囲部材に貼り付けられる貼付部材を備え、
前記貼付部材は、前記包囲部材を前記クッションにたるみなく固定し、膨張展開の初期のガス圧で破断可能であることを特徴とする請求項１から４のいずれか１項に記載のカーテンエアバッグ装置。
【請求項６】
前記クッションは、前記メインチャンバの車両前方側に位置するフロントチャンバを備え、
前記フロントチャンバの上部は、前記ダクト前端部と連通し、該フロントチャンバの下部は、前記メインチャンバと連通していることを特徴とする請求項１から５のいずれか１項に記載のカーテンエアバッグ装置。
【請求項７】
前記クッションの前記ダクト前端部は、車両のフロントピラーの車体側壁と、該フロントピラーを覆うように車内側に設けられるピラーガーニッシュとの間に収容可能な位置に設けられることを特徴とする請求項１から６のいずれか１項に記載のカーテンエアバッグ装置。
【発明の詳細な説明】
【技術分野】
【０００１】
本発明は、車両の側面衝突時やロールオーバ（横転）時に、乗員保護を目的として車両室内の側壁に沿って膨張展開するクッションを備えたカーテンエアバッグ装置に関するものである。
【背景技術】
【０００２】
カーテンエアバッグ装置は、緊急時にガスによって膨張展開して乗員を受け止め保護する袋状のクッションを備える。クッションは、車両が側面衝突からロールオーバに移行した場合であっても、乗員の頭部や上半身が衝突する可能性のある領域をすべてカバーするように、車室内の側壁に沿って展開する必要がある。【０００３】
このため、クッションは、車室内の側壁上部に車両前後方向にわたって収納されている。すなわちクッションは、ルーフサイドレールとルーフサイドレールを車内側から覆うカバーとの間から、ルーフサイドレールの車両前側に連続するフロントピラーとフロントピラーを車内側から覆うピラートリム（以下、ピラーガーニッシュ）との間にまで延びて収納されている。このような限られた収納スペースにクッションを収納可能にするため、クッションは通常、ロール状に巻き回された状態や折り畳まれた状態でルーフサイドレールやフロントピラーに取り付けられている。【０００４】
特許文献１には、ルーフサイドレールを覆うトップシーリング（カバー）と、ピラーガーニッシュとの隣接部すなわち境目に、折り畳み状態のカーテンエアバッグを包囲する包囲部材を設けた車両の内装材構造が記載されている。特許文献１では、ピラーガーニッシュの後端部の変形を抑制可能なように、包囲部材をピラーガーニッシュの後端部に近接して設けることで、エアバッグの展開時でのピラーガーニッシュの破損を防止できる、としている。【０００５】
特許文献２には、ルーフサイドレールとピラーガーニッシュとの境目に展開補助プレートが配置されたカーテンエアバッグの展開補助構造が記載されている。展開補助プレートは、エアバッグとピラーガーニッシュとの間で、非展開時のエアバッグに沿って配置され、エアバッグの展開挙動に伴って変形する。特許文献２では、変形した展開補助プレートが、ピラーガーニッシュを押し広げて、ピラーインナパネルとピラーガーニッシュの間に形成される隙間を広げることで、エアバッグの展開時でのピラーガーニッシュの破損を防止できる、としている。
【先行技術文献】
【特許文献】
【０００６】
【特許文献１】特開２０１０−１３７７５３号公報
【特許文献２】特開２００８−２３９１２７号公報
【発明の概要】
【発明が解決しようとする課題】
【０００７】
しかし特許文献１、２に記載の技術は、ルーフサイドレールとピラーガーニッシュとの境目に補助部材を設け、補助部材自体でピラーガーニッシュの変形を調整するものに過ぎず、クッションの各部位の膨張展開のタイミングを考慮していない。【０００８】
クッションにガスを供給するインフレータは、通常、車両前後方向にわたって収納されているクッションの中央またはそれよりも後方の位置からクッションにガスを供給する。したがって、膨張展開の初期には、通常、クッションのうち、ルーフサイドレールとカバーとの間に収納されている部位が、それよりも前側のフロントピラーとピラーガーニッシュとの間に収納されているクッション前端の部位よりも先に膨張展開する。すると、遅れて膨張するクッション前端の部位を収納しているピラーガーニッシュの例えば後端部が、先に膨張する部位によって割れたり欠けたりする現象が発生することがある。このような現象は、乗員の安全性を損なうことになり得るため、クッションの展開時にピラーガーニッシュの破損を防止する必要がある。【０００９】
本発明は、このような課題に鑑み、クッションの膨張展開時に、ピラーガーニッシュが破損することを防止できるカーテンエアバッグ装置を提供することを目的としている。
【課題を解決するための手段】
【００１０】
上記課題を解決するために、本発明にかかるカーテンエアバッグ装置の代表的な構成は、ガスを利用して車室内で車体側壁に沿って膨張展開するカーテンエアバッグ装置において、車両側方の窓を覆うように膨張展開する袋状のクッションと、クッションの上端部からガスを供給するインフレータとを備え、クッションは、クッション内部の上部に車両前後方向にわたって形成されインフレータからのガスを受けて膨張展開するダクトと、インフレータよりも車両前方側でダクトから下方に分岐し、ダクトからガスが流入して膨張するメインチャンバとを含み、ダクトは、ダクトがメインチャンバに分岐した箇所よりも車両前方側に位置するダクト前端部を有し、収納状態のクッションは、メインチャンバと少なくとも一部が重なる位置で巻き付けられる帯状の包囲部材であり、膨張展開時のダクトの車幅方向断面の外周長さ以上の長さを有する包囲部材をさらに備え、包囲部材は、膨張展開の初期において、ダクトを通ってメインチャンバに流入するガスのガス圧により切断可能な脆弱部を有することを特徴とする。【００１１】
上記構成によれば、包囲部材は、収納された状態のクッションに、ダクトと連通して設けられたメインチャンバと少なくとも一部が重なる位置で巻き付けられている。包囲部材は、膨張展開時のダクトの車幅方向断面の外周長さ以上の長さを有するため、膨張展開の初期においてダクトの膨張展開を許容する。そのため、ガスは、膨張展開したダクトを通って、メインチャンバよりも前側に位置するダクト前端部に流れ込むことが可能である。ここでダクト前端部は、例えば車両のフロントピラーの車体側壁と、フロントピラーを覆うように車内側に取付けられるピラーガーニッシュとの間に収納されている。【００１２】
一方、メインチャンバは、膨張展開の初期において、包囲部材が脆弱部により切断されるまでの間、ガスが流入し難くなり、膨張展開が抑制される。その結果、ピラーガーニッシュに収納されるダクト前端部が、メインチャンバよりも先に膨張展開し、ピラーガーニッシュを確実に押し開くことができる。すなわちピラーガーニッシュは、メインチャンバの膨張によって押し開かれることがない。その後、包囲部材の脆弱部がガス圧により切断されると、メインチャンバにガスが流入し、メインチャンバがダクト前端部に遅れて膨張展開する。したがって本発明によれば、ピラーガーニッシュの例えば後端部が、膨張展開するメインチャンバによって割れたり欠けたりする現象を防止できる。【００１３】
上記のダクト前端部は、車両のフロントピラーの車体側壁とフロントピラーを覆うように車内側に取り付けられるピラーガーニッシュとの間に収納されるとよい。これにより、メインチャンバの膨張展開より先に生じるダクト前端部の膨張展開により、ピラーガーニッシュを押し開くことができる。【００１４】
上記のメインチャンバは、ダクト前端部に遅れて膨張展開するとよい。これにより、膨張展開するダクト前端部がピラーガーニッシュを押し開いた後、メインチャンバが遅れて膨張展開することになる。このため、膨張展開するメインチャンバによってピラーガーニッシュが破損することがない。【００１５】
上記の包囲部材は、布材で形成されていて、脆弱部は、収納形態のクッションの長手方向に沿って設けられた複数のスリットであるとよい。これにより、スリット同士の間隔を狭く、あるいはスリットの長さを長くすると、包囲部材が脆弱部によって切断されるタイミングを早めることができる。またスリット同士の間隔を広く、あるいはスリットの長さを短くすると、包囲部材が脆弱部によって切断されるタイミングを遅らせることができる。このように脆弱部としてスリットを採用することで、メインチャンバの膨張展開をどの程度遅らせるかを、容易に調整できる。【００１６】
上記のクッションはさらに、収納状態のクッションを包囲する包囲部材に貼り付けられる貼付部材を備え、貼付部材は、包囲部材をクッションにたるみなく固定し、膨張展開の初期のガス圧で破断可能であるとよい。これにより、包囲部材にテープなどの貼付部材を貼り付けて折り畳むなどして、包囲部材をクッションの外周に巻き付けて固定できる。このため、包囲部材により包囲されたクッションを、車体側壁に車両前後方向にわたって容易に収納でき、作業性も損なわれない。また貼付部材は、膨張展開の初期のガス圧で破断可能であるので、クッションの展開挙動を阻害することもない。【００１７】
上記のクッションは、メインチャンバの車両前方側に位置するフロントチャンバを備え、フロントチャンバの上部は、ダクト前端部と連通し、フロントチャンバの下部は、メインチャンバと連通しているとよい。これにより、フロントチャンバには、ダクトの膨張展開後、ダクト前端部からガスが流れ込み、多少は膨張するものの、さらに包囲部材の切断後、メインチャンバからもガスが流れ込むことで、十分に膨張展開できる。よってフロントチャンバは、メインチャンバよりも遅延して膨張展開するディレイチャンバとして機能できる。【００１８】
上記のクッションのダクト前端部は、車両のフロントピラーの車体側壁と、フロントピラーを覆うように車内側に設けられるピラーガーニッシュとの間に収容可能な位置に設けられるとよい。このように、ダクト前端部は、ダクトがメインチャンバに分岐した箇所よりも車両前方側に位置し、車体側壁とピラーガーニッシュとの間に収納されている。一方、包囲部材は、メインチャンバと少なくとも一部が重なる位置で巻き付けられている。このため、包囲部材は、ダクト前端部よりも車両後方側に位置している。
【発明の効果】
【００１９】
本発明によれば、クッションの膨張展開時に、ピラーガーニッシュが破損することを防止できるカーテンエアバッグ装置を提供することができる。
【図面の簡単な説明】
【００２０】
【図１】本発明の実施形態におけるカーテンエアバッグ装置を例示する概略図である。
【図２】図１のクッションがロールされる前の状態を例示する図である。
【図３】図１のクッションの部位およびその断面を例示する図である。
【図４】図３の包囲部材を例示する図である。
【図５】図３のクッションの展開挙動を例示する断面図である。
【図６】図１のクッションの膨張展開に伴うピラーガーニッシュの状態を例示する図である。
【図７】図４の包囲部材の変形例を例示する図である。
【符号の説明】
【００２１】
１００…カーテンエアバッグ装置、１０２…インフレータ、１０４…クッション、１０６…車両、１０８……前部座席、１１０…後部座席、１１２、１１４…サイドウィンドウ、１１６…フロントピラー、１１８…センタピラー、１２０…リアピラー、１２２…ルーフサイドレール、１２４…ピラーガーニッシュ、１２６…カバー、１２８…ピラーガーニッシュの後端部、１３０…クリップ、１３２…台座、１３４…クッションの一部、１３６…クッションの部位、１３８、１３８Ａ、１３８Ｂ…包囲部材、１４０…タブ、１４２…ストラップ、１４４…ダクト、１４６…メインチャンバ、１４８…フロントチャンバ、１４９…ダクト前端部、１５０、１５２…シーム部、１５４、１５６…連通口、１５７…余り部、１５８ａ、１５８ｂ…テープ、１６０…縫製ライン、１６２、１６２Ａ、１６２Ｂ…スリット
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
図１は、本発明の実施形態におけるカーテンエアバッグ装置を例示する概略図である。図中では、カーテンエアバッグ装置の非展開時（収納時）を例示している。なお図中で例示するカーテンエアバッグ装置は、車両の右側面用のものであるが、図示を省略する左側面用のカーテンエアバッグ装置も同様の対称な構造を有する。
【００２４】
カーテンエアバッグ装置１００は、ガス発生装置であるインフレータ１０２を備えている。カーテンエアバッグ装置１００のクッション１０４は、側面衝突などの緊急時にインフレータ１０２から供給されるガスの圧力により膨張展開して乗員を拘束する。クッション１０４は、例えば、その表面を構成する基布を表裏で縫製したり、ＯＰＷ（Ｏｎｅ−Ｐｉｅｃｅ  Ｗｏｖｅｎ）を用いて紡織したりすることにより袋状に形成される。
【００２５】
車両１０６は、車両前方から前部座席１０８および後部座席１１０が配置された２列シートの車両である。車両１０６の側壁には、車両前方からサイドウィンドウ１１２、１１４が設置されている。各サイドウィンドウ１１２、１１４の車両前後方向には、ルーフ（天井）を支えるピラー（柱）が設けられている。これらのピラーは、車両１０６の前方からフロントピラー１１６、センタピラー１１８、リアピラー１２０と呼ばれる。
【００２６】
車両１０６は、フロントピラー１１６の車両後側に連続するルーフサイドレール１２２を有する。ルーフサイドレール１２２は、車両１０６の車両室内の側壁上部に位置していて、フロントピラー１１６とともに車体側壁を形成する。車両１０６はさらに、図中二点鎖線で示すピラーガーニッシュ１２４およびカバー１２６を有する。
【００２７】
ピラーガーニッシュ１２４は、フロントピラー１１６を車内側から覆う樹脂製の部材である。フロントピラー１１６とルーフサイドレール１２２との間には明確な境界は無いものの、本実施形態では、ピラーガーニッシュ１２４の後端部１２８を、便宜上、フロントピラー１１６とルーフサイドレール１２２との境目とする。またピラーガーニッシュ１１６は、車内側から挿入されるクリップ１３０（図６参照）が、フロントピラー１１６に設けられた台座１３２と嵌合するなどして、フロントピラー１１６に取付けられている。なおカバー１２６は、ルーフサイドレール１２２を車内側から覆っている。
【００２８】
カーテンエアバッグ装置１００のクッション１０４は、車両前後方向の全体にわたって巻回（ロール）されたまたは折り畳まれた状態で収納されている。具体的には、クッション１０４の一部１３４は、フロントピラー１１６とピラーガーニッシュ１２４との間に収納されている。クッション１０４の一部１３４よりも車両後側となる部位１３６は、ルーフサイドレール１２２とカバー１２６との間に収納されている。
【００２９】
これらの限られた収納スペースに収納されたクッション１０４は、さらに複数のタブ１４０によって車室内の側壁上部に取り付けられている。なおフロントピラー１１６とピラーガーニッシュ１２４との間には、クッション１０４の一部１３４だけでなく、ストラップ１４２も収納されている。ストラップ１４２は、紐状の部材であって、先端部がフロントピラー１１６に取り付けられ、後端部がクッション１０４の一部１３４の前端に取り付けられている。なお袋状のクッション１０４は、車両側方のサイドウィンドウ１１２、１１４を覆うように膨張展開する。
【００３０】
図２は、図１のクッション１０４がロールされる前の状態を例示する図である。カーテンエアバッグ装置１００はさらに、ダクト１４４と、メインチャンバ１４６と、フロントチャンバ１４８とを備える。ダクト１４４は、クッション１０４内部の上部あるいは上端部に車両前後方向にわたって形成されていて、インフレータ１０２からのガスを受けて膨張展開する。なおインフレータ１０２は、クッション１０４の上端部からガスを供給する。
【００３１】
メインチャンバ１４６は、インフレータ１０２よりも車両前方側でダクト１４４から下方に分岐し、ダクト１４４からガスが流入して膨張する。膨張したメインチャンバ１４６は、乗員を拘束する。メインチャンバ１４６は、図１で示したクッションの一部１３４よりも車両後側の部位１３６に含まれる。さらにクッション１０４の部位１３６には、メインチャンバ１４６だけでなく、メインチャンバ１４６の上側に位置するダクト１４４も含まれる。
【００３２】
メインチャンバ１４６よりも車両前方側では、フロントピラー１１６とピラーガーニッシュ１２４との間にクッション１０４の一部１３４が収納される。図２では図示の明確化のため、ダクト１４４のうち、クッション１０４の一部１３４に含まれている前端部（以下「ダクト前端部１４９」と称する）にハッチングを施している。図示のようにダクト前端部１４９は、ダクト１４４がメインチャンバ１４６に分岐した箇所より車両前方側に位置している。なおクッション１０４の一部１３４には、ダクト前端部１４９だけでなく、フロントチャンバ１４８も含まれる。
【００３３】
フロントチャンバ１４８は、メインチャンバ１４６の車両前方側に位置していて、ダクト前端部１４９とともに、フロントピラー１１６とピラーガーニッシュ１２４との間に収納される。これらダクト前端部１４９、メインチャンバ１４６およびフロントチャンバ１４８は、図示のようにシーム部１５０、１５２によって区画されている。シーム部１５０、１５２は、クッション１０４の表裏の基布を接合する等により形成される。フロントチャンバ１４８の上部は、クッション１０４の前端付近の連通口１５４にてダクト前端部１４９と連通している。またフロントチャンバ１４８の下部は、クッション１０４の下端付近の連通口１５６にてメインチャンバ１４６と連通している。
【００３４】
図３は、図１のクッション１０４の部位１３６およびその断面を例示する図である。図３（ａ）は、包囲部材１３８が巻き付けられたクッション１０４の部位１３６を拡大して示す図である。図３（ｂ）は、図３（ａ）のＡ−Ａ断面図である。ここでの断面は、クッション１０４の車幅方向断面を示している。
【００３５】
図３（ｂ）に示すように、収納状態のクッション１０４の部位１３６を構成するメインチャンバ１４６と少なくとも一部が重なる位置に、帯状の包囲部材１３８が巻き付けられている。包囲部材１３８は、図３（ｂ）に示すように、クッション１０４に巻き付けられた状態で余り部１５７を有し、その分、たるみがある。そのため、包囲部材１３８は、図３（ａ）に示す貼付部材であるテープ１５８ａ、１５８ｂが貼り付けられることで、余り部１５７が折り畳まれるなどして、クッション１０４にたるみなく固定される。
【００３６】
テープ１５８ａ、１５８ｂは、膨張展開前の包囲部材１３８をクッション１０４にたるみなく固定するものの、膨張展開の初期においてガス圧により容易に破断可能である脆弱なものであり、後述する包囲部材１３８およびクッション１０４の展開挙動を阻害することはない。
【００３７】
図４は、図３の包囲部材１３８を例示する図である。図４（ａ）は、収納状態のクッション１０４に巻き付けられる前の包囲部材１３８を示している。図４（ｂ）は、図４（ａ）のＢ矢視図である。
【００３８】
包囲部材１３８は、例えば布材で形成されていて、その両端同士が縫製ライン１６０で示すように縫製されている。縫製された包囲部材１３８は、ロールされた状態のクッション１０４に通されて、クッション１０４の部位１３６を構成するメインチャンバ１４６と少なくとも一部が重なる位置で巻き付けられ、さらにテープ１５８ａ、１５８ｂによって固定される。
【００３９】
包囲部材１３８は、脆弱部としてのスリット１６２を有する。スリット１６２は、布材に所定間隔および所定長さで設けられていて、ダクト１４４を通ってメインチャンバ１４６に流入するガスのガス圧により切断可能である。
【００４０】
以下、クッション１０４の展開挙動について説明する。図５は、図３のクッション１０４の展開挙動を例示する断面図である。図５（ａ）は、図３（ｂ）のＡ−Ａ断面に後続するクッション１０４の膨張展開の初期の状態を示す断面図である。図５（ｂ）は、図５（ａ）に後続する膨張展開の状態を示す断面図である。ここでの断面は、クッション１０４の車幅方向断面を示している。
【００４１】
膨張展開の初期では、インフレータ１０２から供給されるガスが、クッション１０４内部の上部に形成されたダクト１４４を通って車両前方に流れ込む。このため、まずダクト１４４が膨張展開しようとする。ここで包囲部材１３８は、図５（ａ）に示すように膨張展開時のダクト１４４の車幅方向断面の外周長さ以上の長さを有している。このため、クッション１０４の膨張展開の初期において、ダクト１４４は、包囲部材１３８に包囲されている状態であっても、十分に膨張展開できる。なお図３に示したテープ１５８ａ、１５８ｂは、ダクト１４４の膨張展開に伴って容易に破断する。
【００４２】
ダクト１４４を膨張させたガスは、まず、インフレータ１０２に近いメインチャンバ１４６に流れ込もうとする。しかしメインチャンバ１４６は、図５（ａ）に示すように膨張展開の初期において、包囲部材１３８に包囲されているため、ガスが流入し難くなり、膨張展開が抑制される。そのため、ガスは、膨張展開したダクト１４４を通って、メインチャンバ１４６よりも車両前方側に位置するフロントピラー１１６とピラーガーニッシュ１２４との間に収納されたクッション１０４の一部１３４（図２参照）、すなわちダクト前端部１４９に優先的に流れ込む。
【００４３】
続いて図５（ｂ）に示すように、ガス圧が高くなると、ダクト１４４がさらに膨張して包囲部材１３８のスリット１６２が破断し包囲部材１３８が切断される。包囲部材１３８が切断されることで、ガスは、ダクト前端部１４９に遅れて、メインチャンバ１４６に流れ込む。つまり、メインチャンバ１４６は、包囲部材１３８がガス圧により切断されるまでの間、包囲部材１３８によって膨張展開が抑制され、膨張展開のタイミングが遅くなる。その結果、フロントピラー１１６とピラーガーニッシュ１２４との間に収納されるダクト前端部１４９が、メインチャンバ１４６よりも先に膨張展開する。
【００４４】
図６は、図１のクッション１０４の展開に伴うピラーガーニッシュ１２４の状態を例示する図である。なお図中では、図２と同様にピラーガーニッシュ１２４に収納されるダクト前端部１４９にハッチングを施している。
【００４５】
ダクト前端部１４９は、上記したように、メインチャンバ１４６よりも先に膨張展開する。このため、クッション１０４の一部１３４は、膨張展開することでクリップ１３０を台座１３２（図１参照）から引き抜いて、ピラーガーニッシュ１２４を確実に押し開くことができる。
【００４６】
メインチャンバ１４６は、包囲部材１３８がガス圧により切断された後、ダクト前端部１４９に遅れて膨張展開する。すなわち、ピラーガーニッシュ１２４は、メインチャンバ１４６の膨張によって押し開かれることがない。したがって本実施形態によれば、ピラーガーニッシュ１２４の例えば後端部１２８が、膨張展開するメインチャンバ１４６によって割れたり欠けたりする現象を防止でき、乗員の安全性を確保できる。
【００４７】
またフロントチャンバ１４８には、ダクト前端部１４９から連通口１５４を通ってガスが流れ込み、多少は膨張するものの、包囲部材１３８の切断後、連通口１５６を通ってメインチャンバ１４６からもガスが流れ込むことで、十分に膨張展開する。よって本実施形態によれば、フロントチャンバ１４８は、メインチャンバ１４６よりも遅延して膨張展開するディレイチャンバとして機能できる。
【００４８】
さらに本実施形態では、布製の包囲部材１３８を、ロールされたクッション１０４に通してテープ１５８ａ、１５８ｂを貼り付けて、クッション１０４にたるみなく固定する。このため、包囲部材１３８も含めたクッション１０４のサイズが大きくなることもない。またクッション１０４に包囲部材１３８を巻き付けて固定する際、治具なども必要ないため、作業性が向上する。
【００４９】
図７は、図４の包囲部材１３８の変形例を例示する図である。図７（ａ）に示す包囲部材１３８Ａは、包囲部材１３８のスリット１６２に比べて、スリット１６２Ａの数が少なく、スリット１６２Ａ同士の間隔が広くなっている。このような包囲部材１３８Ａは、包囲部材１３８に比べてガス圧によって切断され難くなり、膨張展開の初期において切断されるタイミングを遅らせることができる。つまり、包囲部材１３４Ａによれば、メインチャンバ１４６の膨張展開をより遅らせることができる。
【００５０】
図７（ｂ）に示す包囲部材１３８Ｂは、包囲部材１３８のスリット１６２に比べて、スリット１６２Ｂの長さが長く、スリット１６２Ｂ同士の間隔が狭くなっている。このような包囲部材１３８Ｂは、包囲部材１３８に比べてガス圧によって切断され易く、膨張展開の初期において切断されるタイミングを早めることができる。つまり、包囲部材１３４Ｂによれば、包囲部材１３４を用いる場合に比べて、メインチャンバ１４６の膨張展開のタイミングを早めることができる。
【００５１】
このように包囲部材１３４、１３４Ａ、１３４Ｂの脆弱部としてスリット１６２、１６２Ａ、１６２Ｂを採用することで、メインチャンバ１４６の膨張展開をどの程度遅らせるかを、容易に調整できる。ただし、メインチャンバ１４６の膨張展開のタイミングは、スリット１６２、１６２Ａ、１６２Ｂに限らず、包囲部材１３４、１３４Ａ、１３４Ｂの材質や幅を変更することで適宜調整してもよい。
【００５２】
以上、添付図面を参照しながら本発明の好適な実施形態について説明したが、本発明は係る例に限定されないことは言うまでもない。当業者であれば、請求の範囲に記載された範疇内において、各種の変更例または修正例に想到し得ることは明らかであり、それらについても当然に本発明の技術的範囲に属するものと了解される。
【００５３】
また、上記実施形態においては本発明にかかるカーテンエアバッグを自動車に適用した例を説明したが、自動車以外にも航空機や船舶などに適用することも可能であり、同様の作用効果を得ることができる。
【産業上の利用可能性】
【００５４】
本発明は、車両の側面衝突時やロールオーバ（横転）時に、乗員保護を目的として車両室内の側壁に沿って膨張展開するクッションを備えたカーテンエアバッグ装置に利用することができる。
【図１】
0006768079.tif 000002
【図２】
0006768079.tif 000003
【図３】
0006768079.tif 000004
【図４】
0006768079.tif 000005
【図５】
0006768079.tif 000006
【図６】
0006768079.tif 000007
【図７】
0006768079.tif 000008